(57)【要約】【課題】薬品の数量の管理を包装単位で行う調剤支援装置及びプログラムを提供することである。【解決手段】本部サーバ装置１は、通信装置１４を介して薬価単位の服薬数量を有する処方箋データを入力し、薬価・包装単位変換処理によって当該処方箋データが包装単位に変換され当該処方箋データが通信装置１４から出力される。【選択図】図１
2008293187.tif 000002
【特許請求の範囲】
【請求項１】
患者に処方され調剤された薬品に関するデータである処方箋データを薬価単位で入力する入力手段と、
前記入力手段により入力された処方箋データを薬価単位から包装単位に変換する変換手段と、
前記変換手段により変換された処方箋データを出力する包装単位出力手段と、
を有することを特徴とする調剤支援装置。
【請求項２】
前記薬価単位と包装単位の対応関係を記憶する対応関係記憶手段を有し、
前記変換手段は、前記対応関係記憶手段に基づいて変換することを特徴とする請求項１記載の調剤支援装置。
【請求項３】
薬品の在庫データを包装単位で記憶する記憶手段と、
前記包装単位出力手段により出力された包装単位の処方箋データに基づいて前記記憶手段に記憶された前記在庫データを減算する在庫データ算出手段と、
前記在庫データ算出手段により減算された前記在庫データを出力する在庫データ出力手段と、
を有することを特徴とする請求項１に記載の調剤支援装置。
【請求項４】
新たに調製された予製剤に関するデータである予製剤調製データを受信する受信手段を備え、
前記在庫データは、予製剤の在庫に関するデータである予製剤在庫データを有し、
前記記憶手段は、予製剤の構成薬品に関するデータである予製剤構成データを記憶し、
前記在庫データ算出手段は、前記受信手段により受信した前記予製剤調製データに基づいて前記在庫データの予製剤在庫データを加算し、前記予製剤調製データ及び前記予製剤構成データに基づいて予製剤を構成する構成薬品の在庫データを減算すること
を特徴とする請求項３に記載の調剤支援装置。
【請求項５】
前記在庫データ出力手段は、前記在庫データ算出手段により算出された在庫データの在庫評価金額を算出し、当該算出結果を出力すること
を特徴とする請求項３又は請求項４に記載の調剤支援装置。
【請求項６】
前記記憶手段は、患者に処方された予製剤に関するデータである予製剤処方歴データを記憶し、
前記在庫データ算出手段による減算は、前記予製剤処方歴データに基づいて在庫データを減算すること
を特徴とする請求項４又は請求項５に記載の調剤支援装置。
【請求項７】
コンピュータを
患者に処方され調剤された薬品に関するデータである処方箋データを薬価単位で入力する入力手段、
前記入力手段により入力された処方箋データを薬価単位から包装単位に変換する変換手段、
前記変換手段により変換された処方箋データを出力する包装単位出力手段、
として機能させることを特徴とするプログラム。
【発明の詳細な説明】
【技術分野】
【０００１】
本発明は、薬の在庫管理等に使用される調剤支援装置及びプログラムに関する。
【背景技術】
【０００２】
処方箋には、薬品の数量が薬価単位（グラム等の質量単位）で記載されている。調剤薬局などで、受付者がこの処方箋の記載内容をレセコン（レセプトコンピュータ：治療にかかった医療費を請求するためのレセプトを作成するコンピュータ）に登録する際に、薬品の数量を包装単位（薬一粒単位）に変換してレセコンに入力することは困難であるため、薬価単位のままで薬品の数量が入力され、登録されている。また、薬品の在庫は薬価単位で管理されている。
【０００３】
調剤薬局などでの薬品の在庫管理の手法として、例えば特許文献１には、在庫数量を薬価単位に管理する技術が開示されている。
【特許文献１】特開平５−１８９４６４号公報
【発明の開示】
【発明が解決しようとする課題】
【０００４】
しかしながら、上記従来の薬品の在庫管理の方法では、特定の薬品の在庫が現在何粒であるかといったことを把握できない。そのため、薬の在庫管理を包装単位で管理したいという要請がある。
【０００５】
本発明の課題は、薬品の数量の管理を包装単位で行う調剤支援装置及びプログラムを提供することである。
【課題を解決するための手段】
【０００６】
請求項１に記載の発明は、調剤支援装置において、患者に処方され調剤された薬品に関するデータである処方箋データを薬価単位で入力する入力手段と、前記入力手段により入力された処方箋データを薬価単位から包装単位に変換する変換手段と、前記変換手段により変換された処方箋データを出力する包装単位出力手段と、を有することを特徴とする。
【０００７】
請求項２に記載の発明は、請求項１に記載の調剤支援装置において、前記薬価単位と包装単位の対応関係を記憶する対応関係記憶手段を有し、前記変換手段は、前記対応関係記憶手段に基づいて変換することを特徴とする。
【０００８】
請求項３に記載の発明は、請求項１に記載の調剤支援装置において、薬品の在庫データを包装単位で記憶する記憶手段と、前記包装単位出力手段により出力された包装単位の処方箋データに基づいて前記記憶手段に記憶された前記在庫データを減算する在庫データ算出手段と、前記在庫データ算出手段により減算された前記在庫データを出力する在庫データ出力手段と、を有することを特徴とする。
【０００９】
請求項４に記載の発明は、請求項３に記載の調剤支援装置において、新たに調製された予製剤に関するデータである予製剤調製データを受信する受信手段を備え、前記在庫データは、予製剤の在庫に関するデータである予製剤在庫データを有し、前記記憶手段は、予製剤の構成薬品に関するデータである予製剤構成データを記憶し、前記在庫データ算出手段は、前記受信手段により受信した前記予製剤調製データに基づいて前記在庫データの予製剤在庫データを加算し、前記予製剤調製データ及び前記予製剤構成データに基づいて予製剤を構成する構成薬品の在庫データを減算することを特徴とする。
【００１０】
請求項５に記載の発明は、請求項３又は請求項４に記載の調剤支援装置において、前記在庫データ出力手段は、前記在庫データ算出手段により算出された在庫データの在庫評価金額を算出し、当該算出結果を出力することを特徴とする。
【００１１】
請求項６に記載の発明は、請求項４又は請求項５に記載の調剤支援装置において、前記記憶手段は、患者に処方された予製剤に関するデータである予製剤処方歴データを記憶し、前記在庫データ算出手段による減算は、前記予製剤処方歴データに基づいて在庫データを減算することを特徴とする。
【００１２】
請求項７に記載の発明は、プログラムにおいて、コンピュータを患者に処方され調剤された薬品に関するデータである処方箋データを薬価単位で入力する入力手段、前記入力手段により入力された処方箋データを薬価単位から包装単位に変換する変換手段、前記変換手段により変換された処方箋データを出力する包装単位出力手段、として機能させることを特徴とする。
【発明の効果】
【００１３】
本発明によれば、薬品の数量の管理を包装単位で行う調剤支援装置及びプログラムを提供することができる。
【発明を実施するための最良の形態】
【００１４】
以下、図面を参照して、本発明の好適な一実施形態を説明する。ただし、発明の範囲は本実施形態に限定されない。
【００１５】
［装置構成］
まず、装置の構成について説明する。
図１に調剤支援システムの構成の一例を示す。調剤支援システム１００は、調剤薬局の本部が管理する複数の調剤薬局で行われる調剤業務を支援するシステムである。調剤支援システムは、複数の調剤薬局で使用される調剤用の薬品の在庫管理など、種々の機能を備える。
【００１６】
調剤支援システム１００は、複数の調剤薬局を管理する本部である本部１０及び、調剤薬局２０等の複数の調剤薬局に設置された装置等によって構成されている。
【００１７】
本部１０には、本部サーバ装置１、プリンタ装置２等が設置され、これらの各装置は、ＬＡＮ（Local Area Network）やＷＡＮ（Wide Area Network）等のネットワークであるネットワークＮ２を介して接続されている。ネットワークＮ２は、インターネット等のネットワークであるネットワークＮ１に接続されている。
【００１８】
調剤支援装置である本部サーバ装置１は、ワークステーション等のサーバ装置である。本部サーバ装置１は、レセコンサーバ装置３から送信されたデータ等に基づいて薬品の在庫管理のための各種処理や、レセプト作成に必要なデータのレセコンサーバ装置３への送信等を行う。本部サーバ装置１の構成及び本部サーバ装置１が行う処理の詳細は後述する。
【００１９】
プリンタ装置２は、本部サーバ装置１の処理結果、薬品の在庫評価等を印刷出力するためのプリンタ装置である。
【００２０】
調剤薬局２０には、レセコンサーバ装置３、レセコン入力端末４、調剤レジ端末５等が設置され、これらの装置は、ＬＡＮやＷＡＮ等のネットワークであるネットワークＮ３を介して接続されている。ネットワークＮ３は、ネットワークＮ１に接続されている。
【００２１】
レセコンサーバ装置３は、ワークステーション等のサーバ装置である。レセコンサーバ装置３は、レセコン入力端末４等から入力されレセコンサーバ装置３へ送信された処方箋データを本部サーバ装置１へ送信する処理、本部サーバ装置１から受信したデータを基にレセプト作成に必要な各種データの調剤レジ端末５等への送信処理等を行う。レセコンサーバ装置３の構成及びレセコンサーバ装置３が行う処理の詳細は後述する。
【００２２】
レセコン入力端末４は、ＰＣ（Personal Computer）等のコンピュータである。レセコン入力端末４は、調剤薬局の受付担当者等によって入力された処方箋に記載された情報である処方箋データ、新たに調製等された予製剤に関するデータ、患者への服薬の指導内容等をレセコンサーバ装置３へ送信する。予製剤とは、繁用処方などの調剤を行う前にあらかじめ調製しておく製剤等をいう。
【００２３】
調剤レジ端末５は、レセコンサーバ装置３から受信した処方箋データ等に基づいて販売した薬品の請求金を算出、売上げ計上等するためのレジ端末である。
【００２４】
なお、図示しないが、調剤薬局２０以外の本部１０が管理する他の調剤薬局にも、調剤薬局２０に設置された装置等と同様のものが設置され、ネットワークＮ１に接続されている。
【００２５】
次に、図２に本部サーバ装置１の構成を示す。本部サーバ装置１は、ＣＰＵ（Central Processing Unit）１１、入力装置１２、メモリ１３、通信装置１４、表示装置１５、記憶装置１６を備えて構成される。
【００２６】
ＣＰＵ１１は、入力した制御信号に応じて、メモリ１３等の記憶部に記憶された制御プログラム等に従って本部サーバ装置１の各部の動作を集中制御するプロセッサである。
【００２７】
入力装置１２は、マウスやキーボート等の入力装置である。入力装置１２への入力に応じた信号がＣＰＵ１１へ出力される。
【００２８】
メモリ１３は、ＲＡＭ（Random Access Memory）等が用いられたメモリである。図示しないＲＯＭ（Read Only Memory）等に記憶された各種データやプログラムがメモリ１３に展開され、ＣＰＵ１１が各種処理を行うためのワーク用のメモリとして使用される。
【００２９】
通信装置１４は、ＬＡＮカード等を備えた通信装置である。通信装置１４は、ネットワークＮ２を介して各種データの入出力のための通信を行う。
【００３０】
表示装置１５は、液晶モニター等の表示装置である。表示装置１５は、ＣＰＵ１１による各種処理の結果を表示する。
【００３１】
記憶装置１６は、ＨＤＤ（Hard Disk Drive）等が用いられた大容量の記憶装置である。記憶装置１６は、各種プログラム等を記憶する他、各種データを登録管理するデータベース管理システム（以下、単にデータベースという。）を記憶している。当該データベースには、処方箋連携データ１６１、薬品マスタ１６２、予製剤構成マスタ１６３、予製剤処方歴参照データ１６４、在庫台帳データ１６５、在庫評価単価データ１６６、仕入管理データ１６７等の各種データが登録されている。各データのデータ構成等の説明は後述する。
【００３２】
次に、図３にレセコンサーバ装置３の構成を示す。レセコンサーバ装置３は、ＣＰＵ２１、入力装置２２、メモリ２３、通信装置２４、表示装置２５、記憶措置２６を備えて構成される。
【００３３】
ＣＰＵ２１は、入力した制御信号に応じて、メモリ２３等の記憶部に記憶された制御プログラム等に従ってレセコンサーバ装置３の各部の動作を集中制御するプロセッサである。
【００３４】
入力装置２２は、マウスやキーボート等の入力装置である。入力装置２２への入力に応じた信号がＣＰＵ２１へ出力される。
【００３５】
メモリ２３は、ＲＡＭ等のメモリである。図示しないＲＯＭ等に記憶された各種データやプログラムがメモリ２３に展開され、ＣＰＵ２１が各種処理を行うためのワーク用のメモリとして使用される。
【００３６】
通信装置２４は、ＬＡＮカード等を備えた通信装置である。通信装置２４は、ネットワークＮ３を介したレセコンデータの入出力のための各種通信を行う。
【００３７】
表示装置２５は、液晶モニター等の表示装置である。表示装置２５は、ＣＰＵ２１による各種処理の結果を表示する。
【００３８】
記憶装置２６は、ＨＤＤ等が用いられた大容量の記憶装置である。記憶装置２６は、各種プログラム等を記憶する他、各種データを登録管理するデータベースを記憶している。当該データベースには、処方歴データ２６１等の各種データが登録されている。当該データのデータ構成等の説明は後述する。
【００３９】
［データ構成］
次に、本部サーバ装置１及びレセコンサーバ装置３のデータベースで登録管理されているデータのデータ構成の一例を示す。
【００４０】
図４に、処方箋連携データ１６１のデータ構成を示す。処方箋連携データ１６１は、レセコンサーバ装置３からネットワークＮ１等を介して送信され、本部サーバ装置１が受信した処方箋に関するデータである。
【００４１】
処方箋連携データ１６１は、データ項目として、受付番号、患者コード、レセコン薬品コード、薬品名、服薬数量、服薬回数、服薬日数を有する。受付番号は、処方箋を特定するために採番された番号データである。患者コードは、処方を受けた患者を特定するために付けられたコードデータである。レセコン薬品コードは、レセコンサーバ３による薬品管理のために付けられた薬品のコードデータである。薬品名は、レセコン薬品コードに対応する薬品の名称のデータである。服薬数量は、処方された薬品の一日当たりの薬価単位の服薬数量のデータである。服薬回数は、処方された薬品の一日当たりの服薬回数のデータである。服薬日数は、処方された薬品の服薬日数のデータである。
【００４２】
図５に、薬品マスタ１６２のデータ構成を示す。薬品マスタ１６２は、前述のレセコン薬品コードで管理されている薬品を薬価単位及び包装単位で管理するための対応関係を記憶する薬品のマスタデータである。
【００４３】
薬品マスタ１６２は、データ項目として、薬品コード、薬品名、単位、レセコン薬品コード、服薬数量、服薬回数、ＰＴＰ（Press Through Package）フラグを有する。薬品コードは、レセコン薬品コードで管理されている薬を更に異なる単位（薬価単位又は包装単位）毎に本部サーバ装置１が管理するために付けられたコードデータである。薬品名は、単位の異なる薬品毎に付けられた薬品の名称のデータである。単位は、薬価単位又は包装単位のいずれかを示す薬品の管理単位のデータである。服薬数量は、処方された薬品の薬価単位又は包装単位の服薬数量のデータである。レセコン薬品コード及び服薬回数は、前述の処方箋連携データ１６１と同様である。ＰＴＰフラグは、薬品を包装するシートの種別（１：ＰＴＰ（７錠）、２：ＰＴＰ（７錠以外）、又は９：その他）を示すフラグのデータである。
【００４４】
図６に、予製剤構成マスタ１６３のデータ構成を示す。予製剤構成マスタ１６３は、予製剤を構成する薬品を管理するためのマスタデータである。
【００４５】
予製剤構成マスタ１６３は、データ項目として、予製剤コード、構成薬品コード、構成数量を有する。予製剤コードは、予製剤の薬品コードである。構成薬品コードは、予製剤を構成する薬品の包装単位の薬品コードのデータある。構成数量は、予製剤を構成する薬品の包装単位の数量のデータである。
【００４６】
図７に、予製剤処方歴参照データ１６４のデータ構成を示す。予製剤処方歴参照データ１６４は、処方された予製剤の処方履歴を管理するためのデータである。
【００４７】
予製剤処方歴参照データ１６４は、データ項目として、患者コード、前回来局日、予製剤コードを有する。患者コードは、予製剤の処方を受けた患者を特定するために付けられたコードデータである。前回来局日は、患者が前回来局した日付のデータである。予製剤コードは、過去に処方された予製剤の薬品コードのデータである。
【００４８】
図８に、在庫台帳データ１６５のデータ構成を示す。在庫台帳データ１６５は、本部１０が在庫として持っている薬品や予製剤の在庫数量や在庫金額を管理するためのデータである。なお、本部１０の在庫を管理するこの方式に限定されず、調剤薬局毎の在庫データを管理することとしても良い。
【００４９】
在庫台帳データ１６５は、データ項目として、薬品・予製剤コード、現在在庫、現在在庫金額を有する。薬品・予製剤コードは、在庫薬品の薬品コード又は予製剤コードのデータである。現在在庫は、現在の薬品又は予製剤の包装単位の在庫数量のデータである。現在在庫金額は、薬品又は予製剤の現在の在庫金額のデータである。
【００５０】
図９に、在庫評価単価データ１６６のデータ構成を示す。在庫評価単価データ１６６は、薬品又は予製剤毎の現在の在庫評価単価を管理するためのデータである。なお、この方式に限定されず、年月毎などで過去の在庫評価単価のデータを管理することとしても良い。
【００５１】
在庫評価単価データ１６６は、データ項目として、薬品・予製剤コード、在庫評価単価を有する。薬品・予製剤コードは、薬品又は予製剤のコードデータである。在庫評価単価は、薬品又は予製剤毎の在庫評価単価のデータである。
【００５２】
図１０に、仕入管理データ１６７のデータ構成を示す。仕入管理データ１６７は、仕入れた薬品に関するデータである。
【００５３】
仕入管理データ１６７は、データ項目として、薬品コード、伝票日付、仕入単価を有する。薬品コードは、仕入れた薬品の薬品コードのデータである。伝票日付は、仕入れた薬品の仕入伝票の伝票日付のデータである。仕入単価は、仕入れた薬品の仕入単価のデータである。なお、同じ薬品であっても、仕入日によって薬品の単価が異なるため、同じ薬品コードであっても、伝票日付によって仕入単価は異なる。
【００５４】
図１１に、処方歴データ２６１のデータ構成を示す。処方歴データ２６１は、過去に処方され処方箋のデータである。
【００５５】
処方歴データ２６１は、データ項目として、来局日、受付番号、患者コード、レセコン薬品コード、服薬日数、服薬数量、服薬回数、予製剤コードを有する。来局日は、患者が来局した日付のデータである。受付番号、患者コード、レセコン薬品コード、服薬日数、服薬数量、服薬回数は、前述の処方箋連携データ１６１と同様である。予製剤コードは、患者に渡された予製剤の予製剤コードのデータである。
【００５６】
［動作］
次に、動作の説明をする。
図１を参照して、調剤支援システム１００の動作の概要を説明する。
まず、調剤薬局２０の薬剤師等によって、薬価単位の薬品の情報などの処方箋に記載の処方内容がレセコン入力端末４の入力装置２２を介して入力されると、当該入力された内容は、処方歴データとしてレセコンサーバ装置３へネットワークＮ３を介して送信され、記憶装置２６の処方歴データ２６１として登録される。次いで、当該登録された処方歴データ２６１は、ネットワークＮ３、ネットワークＮ１、及びネットワークＮ２等を介して本部サーバ１へ送信され、本部サーバ１が受信した当該データに含まれる薬品に関する薬価単位のデータは包装単位に変換される処理が行われ、在庫台帳１６５の在庫数を減算する処理が行われる。
【００５７】
また、レセコンサーバ装置３の入力装置２２を介して入力等された処理要求や通信装置１４を介して受信したレセコンサーバ装置３からの処理要求等に応じて、本部サーバ１によって薬品や予製剤の在庫評価処理、新たな予製剤のデータベースへの登録処理、仕入管理の処理等が行われる。在庫評価処理等の処理結果は、プリンタ装置２等からプリントアウトされる。
【００５８】
また、本部サーバ１によって薬価単位から包装単位に変換されたデータは、ネットワークＮ１等を介してレセコンサーバ装置３へ送信された後、レセコン入力端末４等へ送信される。薬剤師等は、レセコン入力端末４等へ送信された当該データを参照し、調剤作業等を行う。
【００５９】
次に、図１２を参照して、本部サーバ装置１が行う主要な処理の概要フローを示す。処理の実行はＣＰＵ１１が行う。
【００６０】
まず、レセコンサーバ装置３等によって処方内容の入力が受付けられ当該入力内容が処方箋データとして送信され、本部サーバ装置１の通信装置１４によって当該処方箋データが受信された場合（ステップＳ１；Ｙｅｓ）、当該処方箋データは、処方箋連携データ１６１として記憶部１６に記憶される（ステップＳ２）。次いで、当該処方箋連携データ１６１は、薬価単位から包装単位に変換され、在庫台帳データ１６５の減算をする処理が行われ（ステップＳ３）、この処理は終了する。ステップＳ３の処理の詳細は後述する。
【００６１】
また、在庫評価の処理要求を受信した場合（ステップＳ１；Ｎｏ、ステップＳ４；Ｙｅｓ）、現在在庫の在庫評価処理が行われ（ステップＳ５）、ステップＳ１へ進む。ステップＳ５の処理の詳細は後述する。
【００６２】
また、予製剤登録の処理要求を受信した場合（ステップＳ４；Ｎｏ、ステップＳ６；Ｙｅｓ）、予製剤登録処理が行われ（ステップＳ７）、ステップＳ１へ進む。ステップ７の処理の詳細は後述する。また、処理の要求を受信しない場合（ステップＳ６；Ｎｏ）、ステップＳ１へ進む。
【００６３】
次に、図１３〜図１９を参照して、図１２のステップＳ２とＳ３の処理の詳細について説明する。
まず、図１３〜図１７を参照して、ステップＳ２とＳ３の処理の具体例を説明する。
【００６４】
図１３のデータフロー図を参照して、図１２のステップＳ２とＳ３の処理の例を説明する。
図１３に示すように、まず、レセコン入力端末４等から送信された処方箋データＤ１３１が本部サーバ装置１の通信装置１４を介して入力され、記憶装置１６の処方箋連携データ１６１として登録される（ステップＳ１３１）。
【００６５】
次いで、処方箋連携データ１６１のうち、薬価・包装単位変換処理がまだ行われていないデータである処方箋連携データＤ１３２及び薬品マスタ１６２として登録されているデータである薬品マスタＤ１３３に基づいて薬価・包装単位変換処理が行われ、処理結果Ｄ１３４が出力され（ステップＳ１３２）、この処理は終了する。
【００６６】
次に、図１４から図１７に示された具体的なデータの例を参照して、図１３に示す処理の例を説明する。
【００６７】
まず、図１４の処方箋データＤ１３１の薬品名が「Ａ薬」、処方数量が「２ｇ」、処方回数が「毎食後３回」、処方日数が「１４日分」であるデータ１３１ａを例に説明する（以下、「Ａ薬の例」という。）。データ１３１ａは、図１３の処方箋記憶処理Ｓ１３１によって図１５の処方箋連携データＤ１３２のレセコン薬品コードが「１」、薬品名が「Ａ薬」、服薬数量が「２」、服薬回数が「３」、服薬日数が「１４」であるデータ１３２１となって処方箋連携データ１６１として登録される。
【００６８】
次いで、薬価・包装単位変換処理Ｓ１３２が行われる。ここで、データ１３２１の服薬数量の値「２」は、ｇ（グラム）単位の質量を示すため、この値を１包装あたりの質量で除算すれば、包装単位の服薬数量を算出することができる。
【００６９】
図１６の薬品マスタＤ１３３には、図１５のデータ１３２１のレセコン薬品コード、服薬数量、及び服薬回数の値と一致する値を持つデータとして、データ１３３１０１がある。データ１３３１０１の薬品名「Ａ薬  ０．６７ｇ」は、Ａ薬の１包装あたりの質量が「０．６７ｇ」であることを示す。
【００７０】
図１３の薬価・包装単位変換処理Ｓ１３２にて、図１５のデータ１３２１の服薬数量「２」が図１６のデータ１３３１０１の薬品名の値の文字列が有する「０．６７」で除算され、得られた値である「３」が図１７の１３４１０１の一日当たりの調剤数量として設定される。加えて、図１６のデータ１３３１０１の薬品コードの値「１０１」及び薬品名の値「Ａ薬  ０．６７ｇ」がそれぞれデータ１３４１０１の薬品コード及び薬品名の値として設定される。
【００７１】
次に、図１５のデータ１３２５を例にして（以下、「Ｅ薬の例」という。）、図１３の薬価・包装単位変換処理Ｓ１３２を説明する。データ１３２５のレセコン薬品コード、服薬数量、及び服薬回数の値と全て一致する値を持つデータは、図１６の薬品マスタＤ１３３には存在しない。この場合、データ１３２５のレセコン薬品コードの値「５」とレセコン薬品コードの値が一致し、単位が「包装単位」である図１６のデータ１３３５０２の服薬数量の値「２」が取得され、図１３のデータ１３２５の服薬数量の値「４」を当該取得された値で除算すると、「２」が算出される。すなわち、図１５のデータ１３２５の服薬数量は、通常処方される１日当たりの服薬数量の「２」倍の数量が処方されていることとなる。
【００７２】
次いで、図１５のデータ１３２５の服薬回数の値「３」を２倍すると、１日当たりの包装単位の服薬数量「６」が算出され、当該算出された値が図１７のデータ１３４５０２の１日当たりの調剤数量の値として設定される。加えて、図１６の１３３５０２の薬品コードの値「５０２」及び薬品名の値「Ｅ薬  ０．６７ｇ」がそれぞれデータ１３４５０２の薬品コード及び薬品名の値として設定される。
【００７３】
次に、図１５のデータ１３２４を例にして（以下、「Ｄ薬の例」という。）、図１３の薬価・包装単位変換処理Ｓ１３２を説明する。データ１３２４のレセコン薬品コード、服薬数量、及び服薬回数の値と全て一致する値を持つデータは、図１６の薬品マスタＤ１３３には存在しない。また、データ１３２４のレセコン薬品コードの値「４」とレセコン薬品コードの値が一致し、単位が「包装単位」であるデータは図１６の薬品マスタＤ１３３には存在しないが、レセコン薬品コードの値が一致し、単位が「薬価単位」であるデータ１３３４０１は存在する。この場合、データ１３３４０１が示す薬品は、薬価単位であり、包装単位でもあることを示す。
【００７４】
次いで、図１５のデータ１３２４の服薬数量の値「３」が図１７のデータ１３４４０１の１日当たりの調剤数量の値として設定される。加えて、図１６のデータ１３３４０１の薬品コードの値「４０１」及び薬品名の値「Ｄ薬  １ｇ」がそれぞれ図１７のデータ１３４４０１の薬品コード及び薬品名の値として設定される。
【００７５】
次に、図１８及び図１９に、以上の例に示した薬価・包装単位変換処理、及び在庫台帳の減算処理の詳細なフローを示す。
【００７６】
図１８の処理は、図１２のステップＳ２の終了後、開始する。
まず、ワーク用の構造体の変数である「出庫データ」、その他ワーク用の各種変数が初期化され、図２の処方箋連携データ１６１及び予製剤構成マスタ１６３のデータベースに登録されたレコード数のカウント用の変数であるそれぞれ「ｉ」及び「ｊ」にそれぞれ数値「０」が設定される（ステップＳ１８０１）。
【００７７】
次いで、処方箋連携データ１６１のデータベースに登録されたデータが１レコード読み込まれる（ステップＳ１８０２）。
【００７８】
次いで、薬品の調剤数量を保持するためのワーク用の変数である「Ｗ調剤数量」にステップＳ１８０２で読み込まれた処方箋連携データ１６１のレコード（以下、「ステップＳ１８０２で読み込まれた処方箋連携データ１６１のレコード」を単に「読み込まれた処方箋連携データ」という。）の服薬回数の値が設定される（ステップＳ１８０３）。
【００７９】
次いで、読み込まれた処方箋連携データのレセコン薬品コード、服薬数量、及び服薬回数の値をキーにして、薬品マスタ１６２が検索される（ステップＳ１８０４）。
【００８０】
次いで、検索の結果、該当するデータが薬品マスタ１６２にあった場合（ステップＳ１８０５；Ｙｅｓ）、すなわち、前述の「Ａ薬の例」のような場合、ステップＳ１８１０へ進む。
【００８１】
また、該当するデータが薬品マスタ１６２に無かった場合（ステップＳ１８０５；Ｎｏ）、すなわち、前述の「Ｄ薬の例」又は「Ｅ薬の例」のような場合、ステップＳ１８０６へ進む。
【００８２】
ステップＳ１８０５；Ｎｏの場合、読み込まれた処方箋連携データの服薬回数の値が「３」以外の値である場合、又は、服薬数量の値が３の倍数である場合、又は、服薬数量の値が２の倍数で無い場合（ステップＳ１８０６；Ｙｅｓ）、例えば前述の「Ｄ薬の例」のような場合、Ｗ調剤数量に読み込まれた処方箋連携データの服薬数量の値が設定され、服薬数量及び服薬回数の値を保持するためのワーク用の変数であるそれぞれ「Ｗ服薬数量」及び「Ｗ服薬回数」の値に「１」がそれぞれ設定される（ステップＳ１８０７）。
【００８３】
また、読み込まれた処方箋連携データの服薬回数の値が「３」であり、かつ、服薬数量の値が３の倍数以外、かつ、服薬数量が２の倍数である場合（ステップＳ１８０６；Ｎｏ）、すなわち、前述の「Ｅ薬の例」のような場合、読み込まれた処方箋連携データの服薬数量の値を２で除して、３を乗じた値がＷ調剤数量に設定され、Ｗ服薬数量及びＷ服薬回数の値にそれぞれ「２」及び「３」が設定される（ステップＳ１８０８）。
【００８４】
次いで、読み込まれた処方箋連携データのレセコン薬品コードの値、Ｗ服薬数量の値、及びＷ服薬回数の値をキーにして、薬品マスタ１６２が検索される（ステップＳ１８０９）。
【００８５】
次いで、前述の構造体の変数である出庫データのｉの位置に出庫薬品コードの値として検索の結果得られた薬品マスタ１６２のデータの薬品コードの値が設定される。そして、出庫数量の値として、Ｗ調剤数量の値に読み込まれた処方箋連携データの服薬日数の値が乗じられた値が設定される。更に、予製剤構成フラグの値として予製剤に関するデータではないことを示す初期値「０」が設定される（ステップＳ１８１０）。
【００８６】
次いで、予製剤変換処理として（ステップＳ１８１１）、読み込まれた処方箋連携データに予製剤に関するデータがある場合に、予製剤を構成する薬品コードについては予製剤構成フラグの値を「１」に変更する処理を行う。処理の詳細は後述する。
【００８７】
次いで、出庫データのｉの位置のデータの予製剤構成フラグの値が「０」である場合（ステップＳ１８１２；Ｙｅｓ）、すなわち、後述するようにステップＳ１８１１にて出庫データのｉの位置のデータが予製剤に関するデータではないと判断された場合、ステップＳ１８１３へ進む。
【００８８】
次いで、在庫台帳データ１６５に登録されたレコードであって、出庫データのｉの位置のデータの出庫薬品コードの値と一致する薬品・予製剤コードの値を持つレコードの現在在庫の値から、出庫データのｉの位置のデータの出庫数量の値が減算される（ステップＳ１８１３）。
【００８９】
また、出庫データのｉの位置のデータの予製剤構成フラグの値が「０」ではない場合（ステップＳ１８１２；Ｎｏ）、すなわち、ステップＳ１８１１にて出庫データのｉの位置のデータが予製剤に関するデータであると判断された場合、ステップＳ１８１４へ進む。
【００９０】
次いで、処方箋連携データ１６１のデータベースに登録されたデータの読み込みがまだ全件終了していない場合（ステップＳ１８１４；Ｎｏ）、ｉの値が１つカウントアップされ（ステップＳ１８１５）、ステップＳ１８０２へ進む。
【００９１】
また、処方箋連携データ１６１のデータベースに登録されたデータの読み込みが全件終了した場合（ステップＳ１８１４；Ｙｅｓ）、ｊの値に数値「０」が設定される（ステップＳ１８１６）。
【００９２】
次いで、Ｗ予製剤薬品コードのｊの位置に予製剤薬品コードの値が設定されている場合（ステップＳ１８１７；Ｙｅｓ）、当該予製剤薬品コードの値と一致する薬品・予製剤コードの値を持つ在庫台帳データ１６５に登録されたレコードの現在在庫の値から、読み込まれた処方箋連携データの服薬日数の値に服薬回数の値を乗算した値が減算される（ステップＳ１８１８）。
【００９３】
次いで、ｊの値が１つカウントアップされ（ステップＳ１８１９）、ステップＳ１８１７へ進む。
【００９４】
また、Ｗ予製剤薬品コードのｊの位置に予製剤薬品コードの値が設定されていない場合（ステップＳ１８１７；Ｎｏ）、この処理は終了する。
【００９５】
次に、図１９を参照して、図１８のステップＳ１８１１の予製剤変換処理の詳細を説明する。
【００９６】
まず、図１８のステップＳ１８１０にて出庫データに設定された出庫薬品コードの値と一致する予製剤コードの値を持つ予製剤処方歴参照データ１６４に登録されたレコードが読み込まれる（ステップＳ１９０１）。
【００９７】
次いで、ステップＳ１９０１にて読み込まれたデータが無い場合（ステップＳ１９０２；Ｎｏ）、この処理は終了する。
【００９８】
また、ステップＳ１９０１にて読み込まれたデータがあった場合（ステップＳ１９０２；Ｙｅｓ）、図１８のステップＳ１８１０にて出庫データに設定された出庫薬品コードの値と一致する予製剤コードの値を持つ予製剤構成マスタ１６３に登録されたレコードが読み込まれる（ステップＳ１９０３）。
【００９９】
次いで、ステップＳ１９０３にて読み込まれたデータが無い場合（ステップＳ１９０４；Ｎｏ）、この処理は終了する。
【０１００】
また、ステップＳ１９０３にて読み込まれたデータがあった場合（ステップＳ１９０４；Ｙｅｓ）、ステップＳ１９０５へ進む。
【０１０１】
次いで、図１８のステップＳ１８１０にて出庫データに設定された出庫薬品コードの値とステップＳ１９０３にて読み込まれた予製剤構成マスタ１６３に登録されたレコードの構成薬品コードの値が一致しない場合（ステップＳ１９０５；Ｎｏ）、ステップＳ１９０３へ進む。
【０１０２】
また、図１８のステップＳ１８１０にて出庫データに設定された出庫薬品コードの値とステップＳ１９０３にて読み込まれた予製剤構成マスタ１６３に登録されたレコードの構成薬品コードの値が一致する場合（ステップＳ１９０５；Ｙｅｓ）、すなわち、当該出庫薬品コードの値が予製剤に関する薬品コードであると判断された場合、当該出庫データに設定された予製剤構成フラグの値に「１」が設定される（ステップＳ１９０６）。
【０１０３】
次いで、予製剤の構成薬品の薬品コードを保持するためのワーク用の配列の変数であるＷ予製剤薬品コードのｊの位置にステップＳ１９０３にて読み込まれた予製剤構成マスタ１６３のレコードの構成薬品コードの値が設定される（ステップＳ１９０７）。
【０１０４】
次いで、ｊの値が１つカウントアップされ（ステップＳ１９０８）、ステップＳ１９０３へ進む。
【０１０５】
以上のように、図１３から図１９の処理によれば、処方箋連携データ１６１に登録されたデータから、薬品マスタ１６２に登録された薬品に関する包装単位のデータに基づいて包装単位のデータ（Ｗ調剤数量）が算出され、また、当該包装単位のデータ、処方箋連携データ１６１、予製剤処方歴参照データ１６４、及び予製剤構成マスタ１６３に登録されたデータに基づいて出庫データが算出され、当該出庫データに基づいて在庫台帳データ１６５の現在在庫が減算されるため、包装単位で薬品の在庫管理を行うことができ、また予製剤の在庫管理を行うことができる。
【０１０６】
また、以上の実施例において、処方箋連携データＤ１３２が包装単位に変換されたデータである図１７に示す処理結果Ｄ１３４は、出庫データの算出のために利用されるが、変形例として例えば、処理結果Ｄ１３４が通信装置１４を介してレセコンサーバ装置３等へ送信され、レセコンサーバ装置３等からレセコン入力端末４等へ当該処理結果Ｄ１３４が送信されることとしても良い。
【０１０７】
このような変形例によれば、薬剤師等が調剤時に、薬価単位ではなく包装単位で表された処方箋データである処理結果Ｄ１３４を参照しながら調剤を行うことで、どの薬品をどれだけ調剤すれば良いかが容易に認識でき、調剤ミスを防止することができる。
【０１０８】
次に、図２０を参照して、図１２のステップＳ５の処理（在庫評価処理）の詳細を説明する。処理の実行は、本部サーバ装置１のＣＰＵ１１が行う。
【０１０９】
まず、データベースから在庫台帳データ１６５のデータのうち、まだ以降のステップによる処理が行われていないレコードの１件が読み込まれ、ワーク用の変数であるＷ評価値に初期値“０”が設定される（ステップＳ２００１）。
【０１１０】
次いで、当該読み込まれた在庫台帳データ１６５の「薬品・予製剤コード」の値とコードが一致する「薬品コード」の値を持つレコードが、仕入管理データ１６７から検索された結果、一致するレコードがある場合（ステップＳ２００２；Ｙｅｓ）、当該レコードが持つ「仕入単価」の値が取得される（ステップＳ２００３）。この際、仕入管理データ１６７のデータベースには、薬品の仕入日の違いによって、「伝票日付」の値が異なるが、同一の「薬品コード」の値を持つレコードが複数存在し得るため、当該検索の結果、複数のレコードが取得され得る。
【０１１１】
次いで、ステップＳ２００３にて取得された仕入管理データ１６７の一又は複数のレコードの「仕入単価」の値から、在庫評価のための在庫評価単価が算出される（ステップＳ２００４）。なお、在庫評価単価の評価方法は任意であり、総平均法、標準原価法等の既知の方法にて評価される。以降の処理で在庫評価単価が算出される場合（ステップS２０１１）も同様である。
【０１１２】
次いで、ステップＳ２００１にて読み込まれた在庫台帳データ１６５のレコードの「現在在庫」の値にステップＳ２００４にて算出された在庫評価単価が乗じられることで得られた値が在庫台帳データ１６５の「現在在庫金額」の値として登録される（ステップＳ２００５）。
【０１１３】
次いで、まだステップＳ２００１にて読み込まれていないレコードが在庫台帳データ１６５にある場合（ステップＳ２００６；Ｙｅｓ）、ステップＳ２００１へ進む。
【０１１４】
ステップＳ２００２にて、在庫台帳データ１６５の「薬品・予製剤コード」の値とコードが一致する「薬品コード」の値を持つレコードが仕入管理データ１６７から検索された結果、一致するレコードがない場合（ステップＳ２００２；Ｎｏ）、すなわち、ステップＳ２００１にて読み込まれた在庫台帳データ１６５のレコードが予製剤に関するものである場合、ステップＳ２００９へ進む。
【０１１５】
次いで、ステップＳ２００１にて在庫台帳データ１６５から読み込まれた予製剤に関するレコードが持つ「薬品・予製剤コード」の値をキーにして、当該予製剤を構成する構成薬品に関するデータが予製剤構成マスタ１６３から検索され、当該検索された構成薬品に関するデータの中に以降のステップによってまだ処理されていないレコードがある場合（ステップＳ２００９；Ｙｅｓ）、当該レコードのうち１件のレコードの「構成薬品コード」と値が一致する「薬品コード」の値を持つレコードの「仕入単価」の値が仕入管理データ１６７の一又は複数のレコードから取得される（ステップＳ２０１０）。
【０１１６】
次いで、ステップＳ２０１０で取得された「仕入単価」の値から在庫評価のための在庫評価単価が算出される（ステップＳ２０１１）。
【０１１７】
次いで、ステップＳ２０１１にて算出された在庫評価単価にステップＳ２００９で得られた予製剤構成マスタ１６３の１レコードの「構成数量」の値が乗じられ、得られた値が前述のＷ評価値に足され（ステップＳ２０１２）、ステップＳ２００９へ進む。
【０１１８】
また、ステップＳ２００９にて、ステップＳ２００１にて読み込まれた在庫台帳データ１６５の「薬品・予製剤コード」の値とコードが一致する「予製剤コード」の値を持つレコードが予製剤構成マスタ１６３にない場合、又は、当該レコードが予製剤構成マスタ１６３にある場合であってもそのレコードが以降のステップによって既に処理されたものである場合（ステップＳ２００９；Ｎｏ）、ステップＳ２０１３へ進む。
【０１１９】
ここで、Ｗ評価値にステップＳ２００１にて読み込まれた在庫台帳データ１６５のレコードの「現在在庫」の値が乗じられ、得られた値が当該レコードの「現在在庫金額」の値として登録され（ステップＳ２０１３）、ステップＳ２００６へ進む。
【０１２０】
また、ステップＳ２００１にて読み込まれていないレコードが在庫台帳データ１６５にない場合（ステップＳ２００６；Ｎｏ）、在庫台帳データ１６５に登録された全てのレコードの「現在在庫金額」の値の合計値が算出される（ステップＳ２００７）。
【０１２１】
次いで、在庫台帳データ１６５の全てのレコードの「薬品・予製剤コード」、「現在在庫」、及び「現在在庫金額」の値、及び、ステップＳ２００７にて算出された合計値が出力される（ステップＳ２００８）。当該出力された値は、表示装置２５に出力され、或いは、通信装置２４を介してプリンタ装置２へ送信され、プリンタ装置２によってプリントアウトされ、この処理は終了する。
【０１２２】
以上のように、図２０に示す処理によれば、在庫台帳データ１６５に登録されたデータが仕入管理データ１６７に登録されておらず、当該データが予製剤であると判断した場合は、予製剤構成マスタ１６３から当該予製剤の構成薬品を特定し、当該構成薬品の仕入単価を算出し、当該仕入単価から算出された在庫評価単価に在庫数量を乗ずることで現在在庫金額を算出することができ、また当該現在在庫金額を累計することができ、当該算出結果を出力することで、現在の在庫評価を行うことができる。また、在庫台帳データ１６５は、包装単位で在庫に関するデータが登録されているため、包装単位の在庫評価を行うことができる。
【０１２３】
次に、図２１を参照して、図１２のステップＳ６の処理（予製剤登録処理）の詳細を説明する。処理の実行は、本部サーバ装置１のＣＰＵ１１が行う。
【０１２４】
この処理は、レセコン入力端末４に薬剤師等によって新たに調製された予製剤に関するデータである予製剤調製データ（予製剤コード、構成薬品コード、構成薬品の構成数量、予製剤の作成数、患者コード等を有する。）の入力が受け付けられ、当該予製剤調製データがレセコンサーバ装置３へ送信され、本部サーバ装置１へ送信された際に開始する。
【０１２５】
まず、通信装置１４を介して予製剤調製データが受信され（ステップＳ２１０１）、当該データが有する予製剤コードの値が一致する「予製剤コード」の値を持つレコードが予製剤構成マスタ１６３に既に登録されている場合（ステップＳ２１０２；Ｙｅｓ）、すなわち、受信された予製剤調製データが予製剤構成マスタ１６３に既に登録されている予製剤に関するデータであった場合、ステップＳ２１０１にて受信された予製剤調製データが有する予製剤コードをキーにして、在庫台帳データ１６５が検索される（ステップＳ２１０３）。
【０１２６】
次いで、ステップＳ２１０３の検索によって得られた在庫台帳データ１６５のレコードの「現在在庫」の値にステップＳ２１０１にて受信した予製剤調製データが有する予製剤の作成数を足された値が当該レコードの「現在在庫」の値として登録される（ステップＳ２１０４）。すなわち、このステップによって、新たに作成された予製剤の数量が現在在庫に加えられる。
【０１２７】
次いで、ステップＳ２１０１にて受信された予製剤コードの値と一致する「予製剤コード」の値を持ち、以降のステップによって既に処理されたレコードの「構成薬品コード」と異なる値を持つレコードが予製剤構成マスタ１６３にある場合（ステップＳ２１０５；Ｙｅｓ）、当該レコードの「構成数量」の値にステップＳ２１０１にて受信された予製剤の作成数が乗じられ、得られた値がワーク用の変数であるＷ構成薬品出庫数量に設定される（ステップＳ２１０６）。
【０１２８】
次いで、ステップＳ２１０５にて取得された予製剤構成マスタ１６３のレコードの「構成薬品コード」の値をキーに在庫台帳データ１６５が検索される（ステップＳ２１０７）。
【０１２９】
次いで、ステップＳ２１０７の検索の結果得られた在庫台帳データ１６５のレコードの「現在在庫」の値からステップＳ２１０６にて設定されたＷ構成薬品出庫数量の値を引き、得られた値が当該レコードの「現在在庫」の値として登録される（ステップＳ２１０８）、その後ステップＳ２１０５へ進む。すなわち、このステップによって、新たな予製剤の作成によって使用された薬品の数量が現在在庫から差し引かれる。
【０１３０】
また、ステップＳ２１０２にて、ステップＳ２１０２にて受信された予製剤調製データが有する予製剤コードの値が一致する「予製剤コード」の値を持つレコードが予製剤構成マスタ１６３に登録されていない場合（ステップＳ２１０２；Ｎｏ）、すなわち、受信された予製剤調製データが予製剤構成マスタ１６３にまだ登録されていない新規の予製剤に関するデータであった場合、ステップＳ２１０１にて受信された予製剤調製データが有する予製剤コード、構成薬品コード、構成薬品の構成数量をそれぞれ予製剤構成マスタ１６３の「予製剤コード」、「構成薬品コード」、「構成数量」の値とする新たなレコードが登録される（ステップＳ２１０９）。
【０１３１】
次いで、予製剤を構成する全ての構成薬品についての予製剤構成マスタ１６３への登録が終了していない場合（ステップＳ２１１０；Ｎｏ）、ステップＳ２１０９へ進み、登録が終了している場合（ステップＳ２１１０；Ｙｅｓ）、ステップＳ２１０１にて受信した患者コード及び予製剤コードを通信装置１４を介してレセコンサーバ装置３へ送信し、ステップＳ２１０４へ進む。
【０１３２】
また、ステップＳ２１０５にて、ステップＳ２１０１で受信された予製剤コードの値と一致する「予製剤コード」の値を持つレコードが予製剤構成マスタ１６３になく、又はステップＳ２１０６からＳ２１０８によって既に処理されたレコードの「構成薬品コード」と異なる値を持つレコードが予製剤構成マスタ１６３にないと判断され場合（ステップＳ２１０５；Ｎｏ）、この処理は終了する。
【０１３３】
以上のように、図２１に示す処理によれば、新たに作成された予製剤についての予製剤調製データを受信すると、当該データに応じて新たに作成された予製剤の数量が在庫台帳データ１６５の「現在在庫」に加えられ、また、当該新たな予製剤の作成によって使用された予製剤の構成薬品の数量が在庫台帳データ１６５の「現在在庫」から差し引かれることで、予製剤の在庫管理を行うことができる。
【０１３４】
［効果］
以上のように本実施の形態によれば、本部サーバ装置１は、通信装置１４を介して薬価単位の服薬数量を有する処方箋データを入力し、薬価・包装単位変換処理（Ｓ３）によって当該処方箋データが包装単位に変換され当該処方箋データが通信装置１４から出力されることで、包装単位で表された処方箋データを参照しながら調剤を行うことができ、どの薬品をどれだけ調剤すれば良いかが容易に認識できるため、調剤ミスを防止することができる。
【０１３５】
また、包装単位で薬品の在庫に関するデータが記憶装置１６の在庫台帳データ１６５として記憶され、薬価・包装単位変換処理（Ｓ３）によって包装単位に変換された処方箋データから算出された出庫データに基づいて在庫台帳データ１６５が減算されることで、包装単位で薬品の在庫管理を行うことができる。
【０１３６】
また、本部サーバ装置１は、通信装置１４を介して新たに調製された予製剤に関するデータである予製剤調製データを受信し、在庫台帳データ１６５は予製剤の在庫に関するデータを有し、予製剤登録処理（Ｓ７）にて在庫台帳データ１６５の予製剤に関するデータを当該受信した予製剤調製データに基づいて加算し、在庫台帳データ１６５の予製剤の構成薬品に関するデータを当該予製剤調製データ及び記憶装置１６の予製剤構成マスタ１６３に基づいて減算し、当該加算及び減算結果の在庫データを出力することで、予製剤の在庫管理を行うことができる。
【０１３７】
また、前記在庫データの出力結果にもとづいて在庫評価処理（Ｓ４）にて在庫評価金額を出力することで、包装単位の在庫評価をすることができる。
【図面の簡単な説明】
【０１３８】
【図１】調剤支援システムの概念を示すシステム構成図である。
【図２】本部サーバ装置の構成を示すブロック図である。
【図３】レセコンサーバ装置の構成を示すブロック図である。
【図４】本部サーバ装置が記憶するデータのデータ構成を示す図である。
【図５】本部サーバ装置が記憶するデータのデータ構成を示す図である。
【図６】本部サーバ装置が記憶するデータのデータ構成を示す図である。
【図７】本部サーバ装置が記憶するデータのデータ構成を示す図である。
【図８】本部サーバ装置が記憶するデータのデータ構成を示す図である。
【図９】本部サーバ装置が記憶するデータのデータ構成を示す図である。
【図１０】本部サーバ装置が記憶するデータのデータ構成を示す図である。
【図１１】本部サーバ装置が記憶するデータのデータ構成を示す図である。
【図１２】本部サーバ装置が行う処理の概要を示すフローチャートである。
【図１３】薬価・包装単位変換処理のデータフロー図である。
【図１４】本部サーバ装置が記憶するデータの具体例である。
【図１５】本部サーバ装置が記憶するデータの具体例である。
【図１６】本部サーバ装置が記憶するデータの具体例である。
【図１７】本部サーバ装置が記憶するデータの具体例である。
【図１８】薬価・包装単位変換処理のフローチャートである。
【図１９】薬価・包装単位変換処理のフローチャートである。
【図２０】在庫評価処理のフローチャートである。
【図２１】予製剤登録処理のフローチャートである。
【符号の説明】
【０１３９】
１００  調剤支援システム
Ｎ１、Ｎ２、Ｎ３  ネットワーク
１  本部サーバ装置
２  プリンタ装置
３  レセコンサーバ装置
４  レセコン入力端末
５  調剤レジ端末
１０  本部
１１  ＣＰＵ
１２  入力装置
１３  メモリ
１４  通信装置
１５  表示装置
１６  記憶装置
２０  調剤薬局
２１  ＣＰＵ
２２  入力装置
２３  メモリ
２４  通信装置
２５  表示装置
２６  記憶装置
【図１】
2008293187.tif 000003
【図２】
2008293187.tif 000004
【図３】
2008293187.tif 000005
【図４】
2008293187.tif 000006
【図５】
2008293187.tif 000007
【図６】
2008293187.tif 000008
【図７】
2008293187.tif 000009
【図８】
2008293187.tif 000010
【図９】
2008293187.tif 000011
【図１０】
2008293187.tif 000012
【図１１】
2008293187.tif 000013
【図１２】
2008293187.tif 000014
【図１３】
2008293187.tif 000015
【図１４】
2008293187.tif 000016
【図１５】
2008293187.tif 000017
【図１６】
2008293187.tif 000018
【図１７】
2008293187.tif 000019
【図１８】
2008293187.tif 000020
【図１９】
2008293187.tif 000021
【図２０】
2008293187.tif 000022
【図２１】
2008293187.tif 000023